【手続補正書】
【提出日】平成19年6月7日(2007.6.7)
【手続補正１】
【補正対象書類名】明細書
【補正対象項目名】発明の名称
【補正方法】変更
【補正の内容】
【発明の名称】画像表示装置及びその制御方法、並びに記憶媒体
【手続補正２】
【補正対象書類名】明細書
【補正対象項目名】特許請求の範囲
【補正方法】変更
【補正の内容】
【特許請求の範囲】
【請求項１】  複数の階層からなるメニューを有し、該メニューの各階層に設定されたメニューのデータを幅が固定の表示領域に表示させるメニュー表示手段を備えた画像表示装置であって、
前記複数の階層からなるメニューの表示の幅を検出する検出手段と、
前記検出手段で検出されたメニューの表示の幅と前記表示領域の幅とのどちらが大きいか判定する判定手段と、
前記判定手段で、前記メニューの表示の幅が前記表示領域の幅よりも大きいと判定された場合、何れかの階層のメニューのデータを予め設定された別のメニューのデータに置き換えて前記メニューの表示の幅が前記表示領域の幅よりも小さくなるように前記表示領域に表示させる表示制御手段とを備えることを特徴とする画像表示装置。
【請求項２】  前記メニュー表示手段では、前記メニューの階層を辿り既に表示されたメニューに加えて新たなメニューを前記表示領域に表示させることを特徴とする請求項１に記載の画像表示装置。
【請求項３】  前記メニュー表示手段では、各階層に第１に設定されたメニューのデータを前記表示領域に表示させ、前記表示制御手段では、前記メニューの表示の幅が前記表示領域の幅よりも大きいと判定された場合、何れかの階層のメニューのデータを予め設定された第２のメニューのデータに置き換えて前記メニューの表示の幅が前記表示領域の幅よりも小さくなるように前記表示領域に表示させることを特徴とする請求項１に記載の画像表示装置。
【請求項４】  複数の階層で予め複数のメニューのデータが設定されており、
前記表示制御手段では、複数の階層のメニューのデータのうち、前記メニューの表示の幅が大きくなるメニューのデータに置き換えて前記表示領域に表示させることを特徴とする請求項１に記載の画像表示装置。
【請求項５】  前記既に表示されたメニューと前記新たなメニューとの文字で表される文節のつながりを、修正すべきであると予め定められている場合、既に表示されたメニューを修正する修正手段を更に備えることを特徴とする請求項２に記載の画像表示装置。
【請求項６】  前記修正手段は、既に表示されたメニューの助詞を修正することを特徴とする請求項５に記載の画像表示装置。
【請求項７】  複数の階層からなるメニューを有し、該メニューの各階層に設定されたメニューのデータを幅が固定の表示領域に表示させるメニュー表示手段を備えた画像表示装置の制御方法であって、
前記複数の階層からなるメニューの表示の幅を検出する検出工程と、
前記検出工程で検出されたメニューの表示の幅と前記表示領域の幅とのどちらが大きいか判定する判定工程と、
前記判定工程で、前記メニューの表示の幅が前記表示領域の幅よりも大きいと判定された場合、何れかの階層のメニューのデータを予め設定された別のメニューのデータに置き換えて前記メニューの表示の幅が前記表示領域の幅よりも小さくなるように前記表示領域に表示させる表示制御工程とを備えることを特徴とする画像表示装置の制御方法。
【請求項８】  コンピュータに、請求項７記載の工程を実行させるためのプログラムを記憶したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、装置を制御するためのメニュー画像を表示する画像表示装置及びその制御方法、並びに前記制御方法を実現するためのプログラムを記憶したコンピュータ読み取り可能な記憶媒体に関する。
【手続補正４】
【補正対象書類名】明細書
【補正対象項目名】００１１
【補正方法】変更
【補正の内容】
【００１１】
本発明は上記従来の問題点に鑑み、複数の階層からなるメニュー表示において、常にメニューの全体を表示することができる画像表示装置、及びユーザにとって分かりやすく且つ使いやすいユーザインターフェースを実現可能にする画像表示装置及びその制御方法、並びに記憶媒体を提供することを目的とする。
【手続補正５】
【補正対象書類名】明細書
【補正対象項目名】００１２
【補正方法】変更
【補正の内容】
【００１２】
【課題を解決するための手段】
上記目的を達成するために、本発明の画像表示装置は、複数の階層からなるメニューを有し、該メニューの各階層に設定されたメニューのデータを幅が固定の表示領域に表示させるメニュー表示手段を備えた画像表示装置であって、前記複数の階層からなるメニューの表示の幅を検出する検出手段と、前記検出手段で検出されたメニューの表示の幅と前記表示領域の幅とのどちらが大きいか判定する判定手段と、前記判定手段で、前記メニューの表示の幅が前記表示領域の幅よりも大きいと判定された場合、何れかの階層のメニューのデータを予め設定された別のメニューのデータに置き換えて前記メニューの表示の幅が前記表示領域の幅よりも小さくなるように前記表示領域に表示させる表示制御手段とを備えることを特徴とする。
本発明の画像表示装置の制御方法は、複数の階層からなるメニューを有し、該メニューの各階層に設定されたメニューのデータを幅が固定の表示領域に表示させるメニュー表示手段を備えた画像表示装置の制御方法であって、前記複数の階層からなるメニューの表示の幅を検出する検出工程と、前記検出工程で検出されたメニューの表示の幅と前記表示領域の幅とのどちらが大きいか判定する判定工程と、前記判定工程で、前記メニューの表示の幅が前記表示領域の幅よりも大きいと判定された場合、何れかの階層のメニューのデータを予め設定された別のメニューのデータに置き換えて前記メニューの表示の幅が前記表示領域の幅よりも小さくなるように前記表示領域に表示させる表示制御工程とを備えることを特徴とする。
本発明の記憶媒体は、コンピュータに、上記画像表示装置の制御方法の工程を実行させるためのプログラムを記憶したコンピュータ読み取り可能な記憶媒体であることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】図面
【補正対象項目名】図１２
【補正方法】変更
【補正の内容】
【図１２】
2001359009.tif 000001